【事件の表示】
　特願２００１−　７８９２１「ディスクカートリッジ」拒絶査定に対する審判事件［平成１３年１０月１９日出願公開、特開２００１−２９１３５７］について、次のとおり審決する。
【結　論】
　本件審判の請求は、成り立たない。
【理　由】
［１］手続の経緯
　本願は、平成２年８月２４日に出願した特願平２−２２２８２８号の一部を新たな特許出願とした特願平９−２２５２４２号の一部を、更に平成１３年３月１９日に新たな特許出願としたものであって、その請求項１に係る発明（以下、「本願発明」という。）は、平成１３年１１月１４日付け、平成１４年３月１１日付け及び平成１５年８月４日付けの手続補正で補正された明細書及び図面の記載からみて、その特許請求の範囲の請求項１に記載された次のとおりのものである。
「【請求項１】　ディスクを収納し、収納されたディスクの一部を外部に露出される一対の開口部を有するカートリッジ本体と、
　上記カートリッジ本体に設けられた一対の位置決め穴と、
　上記カートリッジ本体に移動自在に設けられ、上記一対の開口部を各々開閉するシャッタと、
　上記一対の位置決め穴のうちの一方の位置決め穴の近傍の上記カートリッジ本体の装置への挿入方向前端側の一側面部に、上記一側面部が開放され上記カートリッジ本体に収納されているディスクに応じて上記カートリッジ本体の厚み方向に形成され、上記カートリッジ本体に収納されているディスクが光磁気ディスクである否かを示すとともに磁気ヘッドの上記カートリッジ本体内への進入が可能かを示す上記識別凹部とを備えるディスクカートリッジ。」
　
［２］引用例
（１）当審の拒絶理由に引用された、特開昭６２−６７７５１号公報（以下、「刊行物１」という。）には、図面とともに、
「［問題点を解決するための手段及び作用］
　本発明では、ディスクを収納したディスクカートリッジの一部に、光磁気ディスクと光磁気ディスク以外のディスクとの判別用手段を設け、この判別用手段によって界磁コイルの昇降を制御し、いずれのディスクに対しても所定の装着状態に設定出来るようにしている。」（第２頁右上欄第１３行〜第１９行）
「上記界磁コイル６４を支持するレバー６６ａ，６６ａは通常は第１図に示すようにレバー７１の・・・・・・・・・、この状態では界磁コイル６４は上部側に回動され、厚さの大きい光ディスク２４Ａを挿入した場合に、界磁コイル６４が挿入を妨げることがないようにしてある。
　ところで、光ディスク２４Ａまたは光磁気ディスク２４Ｂは、ディスクカートリッジ６９にそれぞれ収納されている。
　上記ディスクカートリッジ６９は第１図（Ａ）又は（Ｂ）に示すように光ディスク２４Ａを収納したディスクカートリッジ６９Ａあるいは光磁気ディスク２４Ｂを収納したディスクカートリッジ６９Ｂには、記録再生装置２１に装着する場合の先端側となる部分で（挿入の際の）上記レバー７１の係入片７５と対向する部分にそれぞれディスク２４Ａ，２４Ｂを判別するための溝部（凹部）８２Ａ，８２Ｂが設けてある。
　上記光ディスク２４Ａを収納したディスクカートリッジ６９Ａにおいては、上記溝部８２Ａの長さは短く、一方光磁気ディスク２４Ｂを収納したディスクカートリッジ６９Ｂでは溝部８２Ｂの長さは長く形成してある。従って、上記ディスクカートリッジ６９Ａ又は６９Ｂを記録再生装置２１に装着して記録、再生等を行うためにディスクカートリッジ用挿入口を経て挿入していくと、ディスクカートリッジ６９Ａでは溝部８２Ａの長さが短いため、正規の挿入位置まで挿入していく途中で、レバー７１の係入片７５は溝部８２Ａを移動して、最深部の壁面に当たり、レバー７１を押圧して該レバー７１を移動する。この移動によって、１対のレバー６６ａ，６６ａはレバー７１の低端部７４Ｂで支持された状態から斜辺部を通り、高端部７４Ａで支持される状態となり、界磁コイル６４は上方に回動退避される。つまり、光ディスク２４Ａを収納したディスクカートリッジ６９Ａを挿入していくと、ディスクカートリッジ６９Ａの先端が界磁コイル６４に衝突してしまう手前の位置からレバー７１が移動されることになり、この移動によって界磁コイル６４が回動されて上方に退避し、ディスクカートリッジ６９Ａを正規の挿入位置まで挿入することができる。この正規の挿入位置まで挿入されると、ディスクカートリッジ６９Ａは第６図に示すカートリッジホルダ７０と共に、下方に移動し、所定の装着状態に設定されることになる。この状態を第７図に示す。
　一方、ディスクカートリッジ６９Ｂの場合には、長い溝部８２Ｂが設けてあるので、このディスクカートリッジ６９Ｂをカートリッジホルダ７０に挿入した場合、所定の挿入位置まで挿入しても、レバー７１の係入片７５は溝部８２Ｂ内にあり、レバー７１は移動されない状態に保持される。つまり１対のレバー６６ａ，６６ａはレバー７１の低端部７４Ｂで支持される状態に保持されることになる。しかして、正規の挿入位置まで挿入されると、ディスクカートリッジ６９Ｂはカートリッジホルダ７０と共に下方に移動され、下降した際に１対のレバー６６ａ，６６ａに架設した軸６７に対してレバー６６ａ，６６ａを支持する低端部７４Ｂの高さが下降するため、前記軸６７を回転中心として界磁コイル６４は回動して下降し、第８図に示すように界磁コイル６４が光磁気ディスク２４Ｂに近接する所定の装着状態に設定され、光磁気ディスク２４Ｂに対して記録あるいは消去に必要な磁界を印加できる状態に設定できる。」（第４頁右下欄第７行〜左下欄第１７行）と記載されている。
　第１図には、ディスクカートリッジ６９Ａの上面の溝部８２ａと、ディスクカートリッジ６９Ｂの上面の溝部８２ｂが、長さの異なる凹部からなる溝の形状に示されている。
　第２図及び第６図には、ピックアップ２６に対向する開口部に対して、光磁気ディスク２４ｂに近接してディスクカートリッジの開口部から進入した界磁コイル６４が示されている。
　
　これらの記載によれば、刊行物１には、
「ディスクを収納し、収納されたディスクの一部を外部に露出する一対の開口部を有するディスクカートリッジと、
　ディスクカートリッジの記録再生装置に装着する先端側となる部分の上面に形成され、カートリッジに収納されているディスクが光磁気ディスクであるか、光磁気ディスク以外のディスクであるかを示すとともに、界磁コイルのカートリッジ内への進入が可能かを示す凹部からなる溝部が設けられているディスクカートリッジ。」との発明（以下、「刊行物１の発明」という。）が記載されていることが認められる。
　
（２）同じく拒絶理由に引用された実願昭６１−６２１０号（実開昭６２−１２０４７７号）のマイクロフィルム（以下、「刊行物２」という。）には、図面とともに、
「本考案によるディスクカートリッジは第１図に示すように、合成樹脂を例えばモールド成形して形成された略平板状の方形状をなす上ハーフ１と下ハーフ２を互いに突合せ、複数のビス３により結合固定して構成されるカートリッジ本体４と、このカートリッジ本体４内に回転自在に収容される円板状のディスク５、例えば光磁気ディスクと、上記カートリッジ本体４を構成する上ハーフ１及び下ハーフ２にそれぞれ開設された上記ディスク５に対し情報信号を書込み又は書込まれた情報信号の読出しを行う光学ピックアップが臨む開口部６，７を開閉操作するシャッタ板８とを主たる構成要素として構成されている。」（第７頁第１４行〜第８頁第７行）
「また、上ハーブ１及び下ハーブ２の他方の基準穴１９，２１が設けられたコーナー部には、これら基準穴１９，２１の側方に位置するようにして書込み保護部材取付部９，９が設けられている。」（第１１頁第１０行〜第１３行）
　
（３）同じく拒絶理由に引用された実願昭６０−７１０９１号（実開昭６１−１８７０７３号）のマイクロフィルム（以下、「刊行物３」という。）には、図面とともに、
「本考案は、例えば書込み自在のディスク（Ｗｒｉｔａｂｌｅ　Ｄｉｓｃ）と称される光ディスクや光磁気ディスクの如き記録（書込み）及び再生（読取り）の両方が可能なディスクを用いて、各種の情報の記録、再生を行うディスクカートリッジに適用するのに最適なカートリッジに関するものである。」（第１頁第１３行〜第２頁第１行）と、
「なおこのディスクカートリッジは、上下両面に記録面を有するディスク４を用いた両面使用のディスクカートリッジである。そのため、上下ハーフ１，２には、中央部とその中央部から前端縁側にかけた位置とに円形のターンテーブル挿入孔６と長方形のヘッド挿入孔７とが各々上下一対設けられており、かつ上下両ヘッド挿入孔７はほぼコ形をなすシャッター８によって開閉されるように構成されている。
　そして、上下ハーフ１，２の前端縁側の左右両端位置には各々円形と楕円形の左右一対の位置決めピン挿入孔９ａ，９ｂが設けられている。」（第３頁第４行〜第１５行）と記載されている。
　
（４）同じく拒絶理由に引用された特開昭６１−１５８０５６号公報（以下、「刊行物４」という。）には、図面とともに、
「ここで、光磁気ディスクあるいは光ディスク及びＲＯＭタイプのディスクのいずれかのディスクにそのカートリッジ１１の一部に切りかき１２を設けると、第３図（Ｂ）に示す様に、切りかき１２を有する一方のディスクのみマイクロスイッチ１３がＯＦＦとなり、第３図（Ｃ）に示す様に残りのディスクではマイクロスイッチ１３がＯＮとなり、これによりディスクの種類を検出する事が出来る。」（第３頁左下欄第２行〜第９行）と記載されている。
　
［３］対比
　そこで、本願発明と刊行物１の発明とを対比すると、
　刊行物１の発明の「ディスクカートリッジ」「開口部」「記録再生装置に装着する先端側となる部分」は、
　本願発明の「カートリッジ本体」「開口部」「装置への挿入方向前端側」に相当し、
　刊行物１の発明の「凹部からなる溝部」は、「カートリッジに収納されているディスクが光磁気ディスクであるか、光磁気ディスク以外のディスクであるかを」示している点で、本願発明の「上記カートリッジ本体に収納されているディスクが光磁気ディスクである否かを」示すための「上記識別凹部」と表示するものを同じにする「表示部」であるから、
　両者は、
「ディスクを収納し、収納されたディスクの一部を外部に露出される一対の開口部を有するカートリッジ本体と、
　上記カートリッジ本体の装置への挿入方向前端側に、上記カートリッジ本体に収納されているディスクに応じて上記カートリッジ本体に形成され、上記カートリッジ本体に収納されているディスクが光磁気ディスクである否かを示す表示部とを備えるディスクカートリッジ。」の点で一致し、以下の点で相違している。
　
　〈相違点〉
１．本願発明では、カートリッジ本体の開口部に対して各々開閉する移動自在なシャッタを備えているのに対して、刊行物１の発明にはシャッタについての記載がない点。
　
２．本願発明では、一対の位置決め穴を備え、カートリッジ本体に収納されているディスクが光磁気ディスクであるか否かを示す表示部の位置が、前記一対の位置決め穴の一方の穴の近傍にあるのに対して、刊行物１の発明には、位置決め穴についての記載がない点。
　
３．カートリッジ本体に収納されているディスクが光磁気ディスクであるか否かを示す表示部の形状が、本願発明では、一側面部に開放された厚み方向に凹の形状であるのに対して、刊行物１の発明では、ディスクカートリッジの上面に形成された凹部からなる溝部である点。
　
４．カートリッジ本体に収納されているディスクが光磁気ディスクであるか否かを示す表示部が、本願発明では磁気ヘッドのカートリッジ本体内への進入が可能かを示すのに対して、刊行物１の発明では、界磁コイルがディスクカートリッジ（カートリッジ本体）への進入が可能かを示す点。
　
［４］判断
　相違点１について
　一対の開口部を、各々開閉する移動自在に設けられたシャッタを備えたディスクカートリッジ（カートリッジ本体）は、刊行物２，３に記載されているように周知であり、刊行物１の発明において、シャッタを設けることは、当業者が容易に推考できることと認める。
　
　相違点２について
　一対の位置決め穴を備えたディスクカートリッジ（カートリッジ本体）は周知であり、刊行物２，３に記載されている。刊行物２における位置決め穴の近傍には、書込み保護部材取付部が設けられ、刊行物３においては、ディスクカートリッジの前端縁側の左右両端位置に一対の位置決め穴が設けられており、刊行物１の発明において、記録再生装置の挿入する先端側の部分に設けられた位置決め穴を設けて、その近傍にカートリッジ本体に収納されているディスクが光磁気ディスクであるか否かを示す表示部を設けることは、当業者が容易に推考できることと認める。
　
　相違点３について
　カートリッジ（カートリッジ本体）の一側面部が開放された厚み方向に凹の切り欠きが検出されることにより、光磁気ディスクであるかいは他のディスクであるかが識別されるカートリッジが刊行物４に記載されており、刊行物１の発明におけるディスクが光磁気ディスクであることを判別する形状として、側面に開放された厚み方向に凹の形状とすることは、当業者が容易に推考できることと認める。
　
　相違点４について
　光磁気ディスクに対して記録あるいは消去に必用な磁界を印加する手段として、磁気ヘッドは周知（特開平１−２１１２５９号公報、実願昭６３−９０２７２号（実開平２−１２７７２号）のマイクロフィルム、特開平２−１７３９６０号公報等参照。）であり、刊行物１の発明における界磁コイルを磁気ヘッドとすることは、当業者が容易に推考できることと認める。
　
　さらに、本願発明が奏する効果も刊行物に記載された発明及び周知技術から十分に予測できる範囲のものである。
　
［５］むすび
　したがって、本願発明は、刊行物に記載された発明及び周知の技術に基いて当業者が容易に発明をすることができたものであるので、特許法第２９条第２項の規定により特許を受けることができない。
　 よって、結論のとおり審決する。